(57)【要約】【課題】採光および覗きの防止を図りつつ、カーテン全体の体積を減らすことができ、構造が簡単で、組み立ておよび取り付けが容易な移動式カーテンを提供する。【解決手段】装着部１とスクリーン部２とを備え、装着部１には、２本のコードを同時に巻き取りや巻き出し可能な巻取装置が少なくとも２つ設けられる。スクリーン部２は、そのうちの一方の巻取装置の２本のコードによって装着部に昇降可能に接続されるとともに、他方の巻取装置の２本のコードと接続されることによって収納/放出状態を変化させる。装着部内に２本のコードを同時に巻き取りまたは巻き出し可能な巻取装置を設けて、スクリーン部の昇降とスクリーン部の収納/放出をそれぞれ行う。【選択図】図1
0003233046.tif 000002
【実用新案登録請求の範囲】
【請求項１】
装着部（１）とスクリーン部（２）とを備える移動式カーテンであって、
前記装着部（１）には、２本のコードを同時に巻き取りや巻き出し可能な巻取装置（３）が少なくとも２つ設けられ、
前記スクリーン部（２）は、そのうちの一方の巻取装置（３）の２本のコードによって装着部（１）に昇降可能に接続されるとともに、他方の巻取装置（３）の２本のコードと接続されることによって収納/放出状態を変化させ、
前記装着部（１）の底部の両側には、コード引出口４が開かれており、
前記スクリーン部（２）は、ヘッドボックス（２．１）と、プリーツスクリーン（２．２）と、ボトムレール（２．３）とを備え、
前記プリーツスクリーン（２．２）は、その上部がヘッドボックス（２．１）に接続されるとともに、下部がボトムレール（２．３）に接続され、
前記ヘッドボックス（２．１）、プリーツスクリーン（２．２）およびボトムレール（２．３）には、コード引出口（４）と対応する箇所にそれぞれコード挿通孔が貫設されており、
そのうちの一方の巻取装置（３）の２本のコードは、それぞれコード引出口（４）からヘッドボックス（２．１）、プリーツスクリーン（２．２）およびボトムレール（２．３）をこの順に直列接続し、
前記他方の巻取装置（３）の２本のコードは、それぞれコード引出口（４）からヘッドボックス（２．１）に直列接続される、
ことを特徴とする移動式カーテン。
【請求項２】
前記ヘッドボックス（２．１）およびボトムレール（２．３）におけるコード挿通孔の下方には、それぞれコード挿通孔よりも大径であるとともに周方向に複数のコード巻取溝（５．１）が設けられるコードロック（５）が設けられ、
前記巻取装置（３）のコードは、直列接続後にコードロック（５）のコード巻取溝（５．１）によって固定され、
前記ヘッドボックス（２．１）およびボトムレール（２．３）のそれぞれには、固定取っ手（７）が設けられている、
ことを特徴とする請求項１に記載の移動式カーテン。
【請求項３】
前記装着部内には、コード引出口（４）と対応する箇所にコード案内部材（６）が設けられており、
当該コード案内部材（６）は、コード案内ホルダー（６．１）と、コード案内ホルダー（６．１）に平行で回動可能に架設されたコード案内ローラ（６．２）とを含み、
前記コード案内ローラ（６．２）は、コード引出口（４）を通過するコードの数と対応して設けられ、各コードは、コード案内ローラ（６．２）に巻き付いた後にコード引出口（４）から引き出され、
前記コード案内ホルダー（６．１）には、コード案内ローラ（６．２）とコード引出口（４）との間と対応する箇所にコード隔離柱（６．３）が設けられている、
ことを特徴とする請求項１に記載の移動式カーテン。
【請求項４】
前記巻取装置（３）は、巻取ホルダー（３．１）と、巻取ホルダー（３．１）に平行で回動可能に設けられる２つのリール（３．２）と、２本のコードと、を含み、
前記リール（３．２）は、コード巻取部（３．２．１）と、連動部（３．２．２）と、コード巻取部（３．２．１）と連動部（３．２．２）との境界に一体的に設けられた連動歯車（３．２．３）と、を含み、
前記２つのリール（３．２）は、連動歯車（３．２．３）の噛合によって互いに連動し、そのうちの一方の連動部（３．２．２）にコイルばね（３．３）が巻回されており、
当該コイルばね（３．３）の外側端は、他方の連動部（３．２．２）に接続され、
２本のコードは２つのコード巻取部（３．２．１）にそれぞれ巻回されている、
ことを特徴とする請求項１に記載の移動式カーテン。
【請求項５】
前記巻取ホルダー（３．１）は、上部ホルダープレート（３．１．１）と、下部ホルダープレート（３．１．２）と、複数本の支柱（３．１．３）とを含み、
前記上部ホルダープレート（３．１．１）および下部ホルダープレート（３．１．２）は、それぞれ支柱（３．１．３）の両端部に接続され、
前記下部ホルダープレート（３．１．２）は、装着部（１）に固定され、
前記支柱（３．１．３）には、コード案内枠（３．５）が一体的に設けられたコード案内ブッシュ（３．４）が外嵌されている、
ことを特徴とする請求項４に記載の移動式カーテン。
【考案の詳細な説明】
【技術分野】
【０００１】
本考案は、カーテンの技術分野に関し、具体的には、移動式カーテンに関する。
【背景技術】
【０００２】
市販されているカーテンは、フレームや取付ブラケットによって窓枠の頂部にねじ止めされ、スクリーンを上方から下方へ展開させて遮光を実現するようにしている。また、上方の部分を展開させて日射を遮蔽し、下方の部分を引き上げて採光するようにしてもよい。しかし、この場合、光が下部から室内に照射して視線に影響を及ぼすだけではなく、カーテンの下方の部分を引き上げると室内のプライバシーを保証することができず、外界からの覗きが容易となる。
【０００３】
また、中国特許の「全移動式カーテン」（公開番号：ＣＮ１０１５０２３７６Ａ）では、トップレールにボールチェーン機構が設けられる巻回昇降装置を用い、巻回昇降装置のコードをボトムレールに接続することによってボトムレール全体の昇降を実現するとともに、ボトムレールの上方のスクリーンをホルダー／巻取軸に対して巻取/巻出運動を行わせることによって、覗かれる可能性のある部分の窓体を遮蔽し、他の部分の窓体によって採光するという効果を実現することができる。しかし、上記のようにデザインすれば、カーテン全体の体積が大きくなり、取り付けられた時に大きな取り付け空間を占め、そして、カーテン全体の構造が複雑となり、組み立てが困難となる。
【考案の概要】
【考案が解決しようとする課題】
【０００４】
本考案は、上記の背景技術において提案されている移動式カーテンの体積が大きくて広い空間を占めるとともに、カーテン全体の構造が複雑であるという問題を解決できる移動式カーテンを提供することを目的とする。
【課題を解決するための手段】
【０００５】
上記の目的を達成するために、本考案は、装着部とスクリーン部とを備える移動式カーテンであって、前記装着部には、２本のコードを同時に巻き取りや巻き出し可能な巻取装置が少なくとも２つ設けられ、前記スクリーン部は、そのうちの一方の巻取装置の２本のコードによって装着部に昇降可能に接続されるとともに、他方の巻取装置の２本のコードと接続されることによって収納/放出状態を変化させる移動式カーテンを提供する。
【０００６】
ここで、本考案は、従来技術と比べて、装着部内に２本のコードを同時に巻き取りまたは巻き出し可能な巻取装置を設けて、スクリーン部の昇降とスクリーン部の収納/放出をそれぞれ行うことによって、採光と覗きの防止を図りつつ、カーテン全体の体積を減らすことができ、そして、構造が簡単となり、組み立ておよび取り付けが容易となるという有益な効果を有する。
【０００７】
好ましくは、前記装着部の底部の両側には、コード引出口が開かれており、前記スクリーン部は、ヘッドボックスと、プリーツスクリーンと、ボトムレールとを備え、前記プリーツスクリーンは、その上部がヘッドボックスに接続されるとともに下部がボトムレールに接続され、前記ヘッドボックス、プリーツスクリーンおよびボトムレールには、コード引出口と対応する箇所にそれぞれコード挿通孔が貫設されており、そのうちの一方の巻取装置の２本のコードは、それぞれコード引出口からヘッドボックス、プリーツスクリーンおよびボトムレールをこの順に直列接続し、前記他方の巻取装置の２本のコードは、それぞれコード引出口からヘッドボックスに直列接続される。これにより、ヘッドボックスが引っ張られる場合、対応するコードが巻取装置から巻き出され、ヘッドボックスの位置を変化させることができる。また、スクリーン部全体の位置を変化させて、採光の位置を選択するという目的を達成することができる。また、ボトムレールが引っ張られる場合、スクリーン部全体を直列接続したコードが巻取装置から巻き出され、ボトムレールの位置を変化させるとともにプリーツスクリーンの形態を変化させることができ、スクリーン部の収納/放出状態を変化させるという目的を達成するとともに、遮光や覗きの防止の効果を実現することができる。
【０００８】
好ましくは、前記ヘッドボックスおよびボトムレールにおけるコード挿通孔の下方には、それぞれコード挿通孔よりも大径であるとともに周方向に複数のコード巻取溝が設けられるコードロックが設けられ、前記巻取装置のコードは、直列接続後にコードロックのコード巻取溝によって固定される。
【０００９】
好ましくは、前記装着部内には、コード引出口と対応する箇所にコード案内部材が設けられており、当該コード案内部材は、コード案内ホルダーと、コード案内ホルダーに平行で回動可能に架設されたコード案内ローラとを含み、前記コード案内ローラは、コード引出口を通過するコードの数と対応して設けられ、各コードは、コード案内ローラに巻き付いた後にコード引出口から引き出され、前記コード案内ホルダーには、コード案内ローラとコード引出口との間と対応する箇所にコード隔離柱が設けられている。これにより、コード案内部材を設けることによって、同一のコード引出口から引き出されるコードを整理して、コード同士の干渉を回避することができるとともに、コード案内ローラを設けることによって、コードとコード引出口との摩擦を低減させて摩耗を回避することができる。
【００１０】
好ましくは、前記ヘッドボックスおよびボトムレールのそれぞれに固定取っ手が設けられている。これにより、ユーザは、採光の要求に応じて窓体におけるスクリーン部の位置およびスクリーン部の収納/放出状態を容易に調整することができる。
【００１１】
好ましくは、前記巻取装置は、巻取ホルダーと、巻取ホルダーに平行で回動可能に設けられる２つのリールと、２本のコードとを含み、前記リールは、コード巻取部と、連動部と、コード巻取部と連動部との境界に一体的に設けられた連動歯車とを含み、前記２つのリールは、連動歯車の噛合によって互いに連動し、そのうちの一方の連動部にコイルばねが巻回されており、当該コイルばねの外側端は、他方の連動部に接続され、２本のコードは、２つのコード巻取部にそれぞれ巻回されている。これにより、コードに力を与えることによって、互いに噛み合わされた２つのリールが同時に逆方向に回動し、２本のコードが力を受けると同時に巻き出されるという効果を実現することができる。また、コイルばねを設けることによって、力を受けない場合にコードを自動的に巻き取らせることができる。
【００１２】
好ましくは、前記巻取ホルダーは、上部ホルダープレートと、下部ホルダープレートと、複数本の支柱とを含み、前記上部ホルダープレートおよび下部ホルダープレートは、それぞれ支柱の両端部に接続され、前記下部ホルダープレートは、装着部内に固定され、前記支柱には、コード案内枠が一体的に設けられたコード案内ブッシュが外嵌されている。これにより、コード案内枠は、方向の案内およびコード案内の効果を発揮することができ、コードを順調に巻き取りまたは巻き出すことが可能となる。
【図面の簡単な説明】
【００１３】
【図１】本考案の構造を示す図である。
【図２】本考案におけるコードの配置を示す断面図である。
【図３】本考案における巻取装置の構造を示す図である。
【図４】本考案における巻取装置のコイルばねの接続を示す図である。
【図５】本考案におけるコード案内部材の構造を示す図である。
【図６】本考案におけるコードロックの構造を示す図である。
【考案を実施するための形態】
【００１４】
以下、本考案の実施例における技術方案について、本考案の実施例の図面を参照しながら明瞭かつ完全に説明するが、ここで述べる実施例は、全ての実施例ではなく、あくまでも本考案の一部の実施例に過ぎないことは明らかなことである。なお、当業者が本考案の実施例に基づいて、創造的な労働をせずに得られるあらゆる他の実施例は、いずれも本考案の保護範囲に含まれる。
【００１５】
図１〜図６を参照して、本考案が提供する１つの技術方案は、装着部１とスクリーン部２とを備えるものであって、前記装着部１には、コードを同時に巻き取りまたは巻き出し可能な巻取装置３が少なくとも２つ設けられ、前記スクリーン部２は、そのうちの一方の巻取装置３の２本のコードを介して装着部１に昇降可能に接続されるとともに、他方の巻取装置３の２本のコードに接続されることによってその収納/放出状態を変化させる移動式カーテンを提供する。
【００１６】
前記装着部１の底部の両側には、コード引出口４が開かれている。
【００１７】
また、前記スクリーン部２は、ヘッドボックス２．１と、ボトムレール２．３と、プリーツスクリーン２．２とを備え、前記プリーツスクリーンは、その上端がヘッドボックス２．１に係止接続されるとともに、下端がボトムレール２．３に係止接続され、前記ヘッドボックス２．１、プリーツスクリーンおよびボトムレール２．３は、コード引出口４と対応する箇所にそれぞれコード挿通孔が貫設されている。また、前記ヘッドボックス２．１およびボトムレール２．３におけるコード挿通孔には、複数のコード巻取溝５．１が周方向に設けられるとともにその中心に貫通孔５．２が設けられるコードロック５が設けられる。
【００１８】
前記ヘッドボックス２．１およびボトムレール２．３のそれぞれに、固定取っ手７が係止設置されている。これにより、ユーザは、採光の要求に応じて窓体におけるスクリーン部２の位置およびスクリーン部２の収納/放出状態を容易に調整することができる。
【００１９】
そのうち、図２における実線は、巻取装置３およびヘッドボックス２．１におけるコードの配置を示すものである。また、巻取装置３の２本のコードによる前記スクリーン部２と装着部１との昇降可能な接続に関する具体的な構造は、前記巻取装置３の２本のコードは、それぞれコード引出口４から引き出された後、ヘッドボックス２．１におけるコード挿通孔を通過し、その後、コードロック５におけるコード巻取溝５．１に巻き取られて固定されるようになっている。
【００２０】
また、図２における破線は、巻取装置３およびスクリーン部２におけるコードの配置を示すものである。巻取装置３の２本のコードとの接続による前記スクリーン部２の収納/放出状態の変化に関する具体的な構造は、前記他方の巻取装置３の２本のコードは、それぞれコード引出口４から引き出された後、ヘッドボックス２．１におけるコード挿通孔、コードロック５における貫通孔５．２、プリーツスクリーンにおけるコード挿通孔、ボトムレール２．３におけるコード挿通孔をこの順で挿通し、その後、コードロック５におけるコード巻取溝５．１に巻き付かれて固定されるようになっている。
【００２１】
また、上記の巻取装置３による２本のコードの同時な巻取や巻出に関する具体的な構造としては、前記巻取装置３は、巻取ホルダー３．１と、巻取ホルダー３．１に平行で回動可能に設けられる２つのリール３．２と、２本のコードと、を備えており、そのうち、前記リール３．２は、コード巻取部３．２．１と、連動部３．２．２と、コード巻取部３．２．１と連動部３．２．２との境界に一体的に設けられた連動歯車と、を備えており、前記２つのリール３．２は、連動歯車３．２．３の噛合によって互いに連動し、そして、そのうちの一方の連動部３．２．２にコイルばね３．３が巻回されており、このコイルばね３．３の外側端は、他方の連動部３．２．２に接続され、２本のコードは２つのコード巻取部３．２．１にそれぞれ巻回されるようになっている。これにより、コードに力を与えることによって、互いに噛み合わされた２つのリール３．２が同時に逆方向に回動し、２本のコードが力を受けると同時に巻き出されるという効果を実現することができる。また、コイルばね３．３を設けることによって、力を受けない場合にコードを自動的に巻き取らせることができる。
【００２２】
また、コードを順調に巻き取りや巻き出し可能とするために、前記巻取ホルダー３．１は、上部ホルダープレート３．１．１と、下部ホルダープレート３．１．２と、複数本の支柱３．１．３とを含み、前記上部ホルダープレート３．１．１および下部ホルダープレート３．１．２は、それぞれ支柱３．１．３の両端部に接続され、前記下部ホルダープレート３．１．２は、装着部１内に固定され、前記支柱３．１．３には、コード案内枠３．５が一体的に設けられたコード案内ブッシュ３．４が外嵌されている。コード案内枠３．５は、方向の案内およびコードの案内の効果を発揮することができる。本実施例における支柱３．１．３は、上部ホルダープレート３．１．１および下部ホルダープレート３．１．２の四隅に分布され、コードの引き回し距離が長い場合、コードを他の巻取ホルダー３．１における使用されていないコード案内枠３．５を通過させることによって、コードが途中に結ばれることを防止できる。
【００２３】
また、前記装着部１内には、コード引出口４と対応する箇所にコード案内部材６が設けられており、このコード案内部材６は、コード案内ホルダー６．１と、コード案内ホルダー６．１に平行で回動可能に架設されたコード案内ローラ６．２とを含み、前記コード案内ローラ６．２は、コード引出口４を通過するコードの数と対応して設けられ、前記コード案内ホルダーには、コード案内ローラ６．２とコード引出口４との間と対応する箇所にコード隔離柱６．３が挿設されており、各コードがコード案内ローラ６．２に巻き付いてコード引出口４から引き出される前に、まず、コード隔離柱によってコード引出口４から引き出されるコードをそれぞれ隔離させる。コード案内部材を設けることによって、同一のコード引出口４から引き出されるコードを整理することができ、コード同士が干渉するのを避けることができる。また、コード案内ローラ６．２を設けることによって、コードとコード引出口４との摩擦を減少させ、摩耗を回避することができる。
【００２４】
なお、前述の実施例を参照して本考案を詳細に説明したが、当業者にとっては、前述の各実施例に記載された技術方案を修正し、またはそのうちの一部の技術特徴に対して同等な置換を行うことが可能である。また、本考案の精神および原則内で行われたいかなる修正、同等な置換、改良等は、いずれも本考案の保護範囲内に含まれるべきである。
【符号の説明】
【００２５】
１…装着部、２…スクリーン部、２．１…ヘッドボックス、２．２…プリーツスクリーン、２．３…ボトムレール、３…巻取装置、３．１…巻取ホルダー、３．１．１…上部ホルダープレート、３．１．２…下部ホルダープレート、３．１．３…支柱、３．２…リール、３．２．１…コード巻取部、３．２．２…連動部、３．２．３…連動歯車、３．３…コイルばね、３．４…コード案内ブッシュ、３．５…コード案内枠、４…コード引出口、５…コードロック、５．１…コード巻取溝、５．２…貫通孔、６…コード案内部材、６．１…コード案内ホルダー、６．２…コード案内ローラー、６．３…コード隔離柱、７…固定取っ手。
【図１】
0003233046.tif 000003
【図２】
0003233046.tif 000004
【図３】
0003233046.tif 000005
【図４】
0003233046.tif 000006
【図５】
0003233046.tif 000007
【図６】
0003233046.tif 000008